(57)【要約】【課題】粒子成分の画像（レビュー画像）でレビューの効率を上げつつ、試料全体をチェック可能にする。【解決手段】表示されるレビュー用画像では、被検査者の属性データ表示エリア２と、この被検査者に対する検査分類項目を表示する検査分類項目表示エリア４と、レビュー用エリア３とがあり、検査分類項目表示エリア４での検査分類項目のいずれかを選択でき、選択された検査分類項目からはタブ形式でレビューエリア８が展開されて、そこにこの検査分類項目の検査結果であるレビュー画像９が表示され、チェックすることができる。ここで、未チェックの検査分類項目には、「検査分類項目」ボタン５ａ〜５ｋが表示され、選択された未チェックの検査分類項目の「検査分類項目」ボタンには、チェックボタン６が表示される。このチェックボタン６をタッチ操作することにより、この検査分類項目がチェック済みとなる。【選択図】図６
2010085197.tif 000002
【特許請求の範囲】
【請求項１】
粒子自動分析装置で検査された検査分類項目毎の粒子成分の画像を、レビュー用画像として、表示してチェック可能とするレビュー用画面の表示方法であって、
検査分類項目を表示する検査分類項目表示エリアと、該レビュー用画像を表示するためのレビュー用エリアとが設けられ、
該検査分類項目の選択操作によって該レビュー用エリアに、選択された該検査分類項目からタブ形式でレビューエリアを展開し、該レビューエリアに選択された該検査分類項目の該レビュー用画像を表示する
ことを特徴とする粒子自動分析装置の画面表示方法。
【請求項２】
請求項１において、
前記レビュー用画像が未チェックの前記検査分類項目に対しては、操作可能に「検査結果」ボタンが表示され、前記レビュー用画像がチェック済みの前記検査分類項目に対しては、前記検査分類項目が背景表示で表示されることを特徴とする粒子自動分析装置の画面表示方法。
【請求項３】
請求項２において、
前記「検査結果」ボタンが選択操作されたときには、選択された前記「検査結果」ボタンにチェックボタンが表示され、
該チェックボタンが操作されることにより、選択された前記「検査結果」ボタンの表示が、チェック済みとして、背景表示の前記検査分類項目の表示に変更するとともに次の検査分類項目が選択された状態となり、前記レビュー用エリアに該次の検査分類項目からタブ形式でレビューエリアを展開し、該レビューエリアに該次の検査分類項目のレビュー用画像を表示する
ことを特徴とする粒子自動分析装置の画面表示方法。
【請求項４】
請求項１，２または３において、
前記検査分類項目表示エリアで表示される前記検査分類項目のいずれか１つが、常に、選択された前記状態にあり、他の前記検査分類項目が新たに選択操作されると、これまで選択された前記状態にあった前記検査分類項目に代わって、新たに選択操作された該他の検査分類項目が選択された前記状態になることを特徴とする粒子自動分析装置の画面表示方法。
【請求項５】
請求項１〜４のいずれか１つにおいて、
ツインビューボタンが表示され、
該ツインビューボタンの操作により、これまで選択された前記状態にあった前記検査分類項目が主検査分類項目として選択された状態にあり、かつ該主検査分類項目の次に表示される前記レビュー用画像が未チェックの前記検査分類項目が参照検査分類項目として選択され、
該主検査分類項目の前記レビュー用画面が前記レビューエリアが縮小されてなる縮小レビューエリアに表示され、該参照検査分類項目の前記レビュー用画像が該縮小レビューエリアとは異なるエリアの参照エリアに表示されて二画面表示となる
ことを特徴とする粒子自動分析装置の画面表示方法。
【請求項６】
請求項５において、
前記縮小レビューエリアと前記参照エリアとは、前記参照検査分類項目からタブ形式で展開されたレビュー用画像表示エリアに表示されることを特徴とする粒子自動分析装置の画面表示方法。
【請求項７】
請求項６において、
前記主検査分類項目の前記「検査結果」ボタンと前記縮小レビューエリアとの夫々の角部に折り目が付され、前記主検査分類項目の前記「検査結果」ボタンと前記縮小レビューエリアとの対応関係を該折り目で示すことを特徴とする粒子自動分析装置の画面表示方法。
【請求項８】
請求項１において、
前記検査分類項目毎に前記検査分類項目表示エリアが区分されて、該区分が前記検査分類項目毎に割り当てられ、いずれか１つの前記検査分類項目が、そのレビュー用画像を前記レビューエリアに表示した選択状態にあり、
前記レビュー用画像が未チェックの前記検査分類項目に対しては、選択された前記検査分類項目の区分に実線マークが、選択されない前記検査分類項目の区分に破線マークが夫々表示され、
前記レビュー用画像がチェック済みの前記検査分類項目に対しては、マークが非表示の背景表示とし、
かつ選択された前記検査分類項目の前記レビュー用画像を表示する前記レビューエリアに実線マークが表示されることを特徴とする粒子自動分析装置の画面表示方法。
【請求項９】
請求項８において、
未チェックの前記検査分類項目が選択操作されたときには、選択された前記検査分類項目に割り当てられた前記区分内にチェックボタンが表示され、
該チェックボタンが操作されることにより、選択された前記検査分類項目の表示が、チェック済みとして、背景表示の前記検査分類項目の表示に変更するとともに次の検査分類項目が選択された状態となり、前記レビュー用エリアに該次の検査分類項目からタブ形式でレビューエリアを展開し、該レビューエリアに該次の検査分類項目のレビュー用画像を表示する
ことを特徴とする粒子自動分析装置の画面表示方法。
【請求項１０】
請求項８または９において、
ツインビューボタンが表示され、
該ツインビューボタンの操作により、これまで選択された前記状態にあった前記検査分類項目が主検査分類項目として選択された状態にあり、かつ該主検査分類項目の次に表示される前記検査分類項目が参照検査分類項目として選択され、
該主検査分類項目の前記レビュー用画面が前記レビューエリアが縮小されてなる縮小レビューエリアに表示され、該参照検査分類項目の前記レビュー用画像が該縮小レビューエリアとは異なるエリアの参照エリアに表示されて二画面表示となる
ことを特徴とする粒子自動分析装置の画面表示方法。
【請求項１１】
請求項１０において、
前記縮小レビューエリアに実線マークが表示され、前記参照エリアに破線マークが表示され、前記主検査分類項目と前記縮小レビューエリアとの対応関係を該実線マークで示し、前記参照検査分類項目と前記参照エリアとの対応関係を該破線マークで示すことを特徴とする粒子自動分析装置の画面表示方法。
【請求項１２】
請求項５〜７，１０，１１のいずれか１つにおいて、
前記主検査分類項目以外の前記検査分類項目を新たに選択操作することにより、これまでの前記参照検査分類項目に代わって、新たに選択された前記検査分類項目が前記参照検査分類項目となる
ことを特徴とする粒子自動分析装置の画面表示方法。
【請求項１３】
請求項５〜７，１０，１１のいずれか１つにおいて、
前記主検査分類項目を操作する毎に、順次未チェックの前記検査分類項目が選択されて、前記参照検査分類項目を順次更新することを特徴とする粒子自動分析装置の画面表示方法。
【請求項１４】
請求項５〜７，１０〜１３のいずれか１つにおいて、
前記主検査分類項目でのチェックボタンが操作されることにより、前記主検査分類項目がチェック済みとなって背景表示され、前記参照検査分類項目が選択された前記状態となって一画面表示状態となることを特徴とする粒子自動分析装置の画面表示方法。
【請求項１５】
請求項７において、
前記折り目が操作されることにより、前記主検査分類項目が選択された前記状態となって一画面表示状態となることを特徴とする粒子自動分析装置の画面表示方法。
【請求項１６】
請求項５〜７，１０〜１５のいずれか１つにおいて、
前記縮小レビューエリアと前記参照エリアとの間で、前記レビュー用画像の移動を可能にしたことを特徴とする粒子自動分析装置の画面表示方法。
【請求項１７】
請求項１６において、
前記主検査分類項目での前記チェックボタンの操作により、前記参照エリアでの前記レビュー用画像のみの表示状態となるとともに、前記主検査分類項目が、チェック済みとして、背景表示され、前記参照検査分類項目にチェックボタンが表示されることを特徴とする粒子自動分析装置の画面表示方法。
【発明の詳細な説明】
【技術分野】
【０００１】
本発明は、液体中に懸濁した粒子を撮影し、得られた画像から粒子を解析する粒子自動分析装置の画面表示方法に関する。
【背景技術】
【０００２】
血液，尿，体液や組織液に存在する細胞を分類、分析する際に、検査の高精度化と省力化を図るため、洗浄剤であるシース液を外層とし、試料液を極めて偏平な流れにするフローセルを用いるフロー式粒子画像解析装置が知られている（例えば、特許文献１参照）。
【０００３】
このフロー方式粒子自動分析装置においては、フローセル中を移動する試料を例えば、ビデオカメラで撮影し、この撮像した静止画像を画像処理することにより、試料中の粒子を分類・計数する。
【０００４】
また、フロー方式画像解析装置において、撮影した粒子画像を粒子サイズなどにより区分けして画面上に表示し、オペレータが粒子を分類していく方法も知られている（例えば、特許文献２参照）。
【０００５】
さらに、オペレータが粒子を分類するときに、予め指定した成分の種類のみをレビューする機能を搭載し、レビュー時間の短縮を図る方法も知られている（例えば、特許文献３参照）。
【特許文献１】特開平４−７２５４４号公報
【特許文献２】特開昭６０−３８６５３号公報
【特許文献３】特開平８−２１０９６１号公報
【発明の開示】
【発明が解決しようとする課題】
【０００６】
ところで、上記特許文献３に記載されたフロー方式粒子画像解析装置では、予め指定した成分の種類のみをレビューする機能が搭載されているが、複数の種類の粒子画像のレビュー時間を短縮し、かつ正確にレビューするレビュー効率の向上については検討されていない。
【０００７】
本発明の目的は、かかる問題を解消し、粒子成分の画像でレビューの効率の向上を可能にする粒子自動分析装置の画面表示方法を提供することにある。
【課題を解決するための手段】
【０００８】
上記目的を達成するために、本発明は、粒子自動分析装置で検査された検査分類項目毎の粒子成分の画像を、レビュー用画像として、表示してチェック可能とするレビュー用画面の表示方法であって、検査分類項目を表示する検査分類項目表示エリアと、レビュー用画像を表示するためのレビュー用エリアとが設けられ、検査分類項目の選択操作によってレビュー用エリアに、選択された検査分類項目からタブ形式でレビューエリアを展開し、レビューエリアに選択された検査分類項目のレビュー用画像を表示することを特徴とする。
【０００９】
また、本発明は、レビュー用画像が未チェックの検査分類項目に対しては、操作可能に「検査結果」ボタンが表示され、レビュー用画像がチェック済みの検査分類項目に対しては、検査分類項目が背景表示で表示されることを特徴とする。
【００１０】
また、本発明は、「検査結果」ボタンが選択操作されたときには、選択された「検査結果」ボタンにチェックボタンが表示され、チェックボタンが操作されることにより、選択された「検査結果」ボタンの表示が、チェック済みとして、背景表示の検査分類項目の表示に変更するとともに次の検査分類項目が選択された状態となり、レビュー用エリアに次の検査分類項目からタブ形式でレビューエリアを展開し、レビューエリアに次の検査分類項目のレビュー用画像を表示することを特徴とする。
【００１１】
また、本発明は、検査分類項目表示エリアで表示される検査分類項目のいずれか１つが、常に、選択された状態にあり、他の検査分類項目が新たに選択操作されると、これまで選択された状態にあった検査分類項目に代わって、新たに選択操作された他の検査分類項目が選択された状態になることを特徴とする。
【００１２】
また、本発明は、ツインビューボタンが表示され、ツインビューボタンの操作により、これまで選択された状態にあった検査分類項目が主検査分類項目として選択された状態にあり、かつ主検査分類項目の次に表示されるレビュー用画像が未チェックの検査分類項目が参照検査分類項目として選択され、主検査分類項目のレビュー用画面がレビューエリアが縮小されてなる縮小レビューエリアに表示され、参照検査分類項目のレビュー用画像が縮小レビューエリアとは異なるエリアの参照エリアに表示されて二画面表示となることを特徴とする。
【００１３】
また、本発明は、縮小レビューエリアと参照エリアとは、参照検査分類項目からタブ形式で展開されたレビュー用画像表示エリアに表示されることを特徴とする。
【００１４】
また、本発明は、主検査分類項目の「検査結果」ボタンと縮小レビューエリアとの夫々の角部に折り目が付され、主検査分類項目の「検査結果」ボタンと縮小レビューエリアとの対応関係を折り目で示すことを特徴とする。
【００１５】
また、本発明は、前記検査分類項目毎に前記検査分類項目表示エリアが区分されて、該区分が前記検査分類項目毎に割り当てられ、いずれか１つの検査分類項目が、そのレビュー用画像をレビューエリアに表示した選択状態にあり、レビュー用画像が未チェックの検査分類項目に対しては、選択された検査分類項目の区分に実線マークが、選択されない検査分類項目の区分に破線マークが夫々表示され、レビュー用画像がチェック済みの検査分類項目に対しては、マークが非表示の背景表示とし、かつ選択された検査分類項目のレビュー用画像を表示するレビューエリアに実線マークが表示されることを特徴とする。
【００１６】
また、本発明は、未チェックの検査分類項目が選択操作されたときには、選択された検査分類項目に割り当てられた区分内にチェックボタンが表示され、チェックボタンが操作されることにより、選択された検査分類項目の表示が、チェック済みとして、背景表示の検査分類項目の表示に変更するとともに次の検査分類項目が選択された状態となり、レビュー用エリアに次の検査分類項目からタブ形式でレビューエリアを展開し、レビューエリアに次の検査分類項目のレビュー用画像を表示することを特徴とする。
【００１７】
また、本発明は、ツインビューボタンが表示され、ツインビューボタンの操作により、これまで選択された状態にあった検査分類項目が主検査分類項目として選択された状態にあり、かつ主検査分類項目の次に表示される検査分類項目が参照検査分類項目として選択され、主検査分類項目のレビュー用画面がレビューエリアが縮小されてなる縮小レビューエリアに表示され、参照検査分類項目のレビュー用画像が縮小レビューエリアとは異なるエリアの参照エリアに表示されて二画面表示となることを特徴とする。
【００１８】
また、本発明は、縮小レビューエリアに実線マークが表示され、参照エリアに破線マークが表示され、主検査分類項目と縮小レビューエリアとの対応関係を実線マークで示し、参照検査分類項目と参照エリアとの対応関係を破線マークで示すことを特徴とする。
【００１９】
また、本発明は、主検査分類項目以外の検査分類項目を新たに選択操作することにより、これまでの参照検査分類項目に代わって、新たに選択された検査分類項目が参照検査分類項目となることを特徴とする。
【００２０】
また、本発明は、主検査分類項目を操作する毎に、順次未チェックの検査分類項目が選択されて、参照検査分類項目を順次更新することを特徴とする。
【００２１】
また、本発明は、主検査分類項目でのチェックボタンが操作されることにより、主検査分類項目がチェック済みとなって背景表示され、参照検査分類項目が選択された状態となって一画面表示状態となることを特徴とする。
【００２２】
また、本発明は、折り目が操作されることにより、主検査分類項目が選択された状態となって一画面表示状態となることを特徴とする。
【００２３】
また、本発明は、縮小レビューエリアと参照エリアとの間で、レビュー用画像の移動を可能にしたことを特徴とする。
【００２４】
また、本発明は、主検査分類項目でのチェックボタンの操作により、参照エリアでのレビュー用画像のみの表示状態となるとともに、主検査分類項目が、チェック済みとして、背景表示され、参照検査分類項目にチェックボタンが表示されることを特徴とする。
【発明の効果】
【００２５】
本発明によると、観測する全ての検査分類項目が表示されるため、夫々の検査分類項目を確認することができるとともに、レビュー用画像のチェック（観測）を必要とする検査分類項目を簡単な操作で選択することができ、しかも、チェックしているレビュー用画像と検査分類項目との対応を容易に確認することができ、粒子成分の画像でレビューの効率の向上が可能となる。
【発明を実施するための最良の形態】
【００２６】
以下、本発明の実施形態を図面により説明する。
【００２７】
図１は本発明による粒子自動分析装置の一実施形態を示す全体概略横成図であって、１００はフローセル、１０１は画像撮影部、１０２は粒子分析部、１０３は粒子検出部、１２４はフロー系制御部である。ここでは、この実施形態をフロー方式粒子自動分析装置としている。
【００２８】
同図において、この実施形態のフロー式粒子自動分析装置は、フローセル１００と画像撮影部１１０と粒子分析部１２０と粒子検出部１３０とフロー系制御部１４０とを備えている。
【００２９】
画像撮影部１１０は、フラッシュランプ１１１とフィールドレンズ１１２と視野絞り１１３と開口絞り１１４と顕微鏡コンデンサレンズ１１５と顕微鏡対物レンズ１１６（粒子検出部１３０と共用）とＴＶカメラ１１７とフラッシュランプ駆動回路１１８とフラッシュランプ点灯制御回路１１９とから構成されている。
【００３０】
また、粒子分析部１２０は、画像メモリ１２１と画像処理制御回路１２２と特徴抽出回路１２３と識別回路１２４とレビュー用粒子画像メモリ１２５と中央制御部１２６と粒子分析部１２７と操作部１２８と表示部１２９とから構成されている。中央制御部１２６は、ホストコンピュータ１５２を介して定量分析装置１５１に接続されており、これにより、中央制御部１２６が、定量分析装置１５１による分析結果をホストコンピュータ１５２を介して取り込み、撮影された画像データから定性項目を判断するために使用される構成となっている。
【００３１】
また、粒子検出部１３０は、半導体レーザ源１３１とコリメータレンズ１３２とシリンドリカルレンズ１３３と反射鏡１３４と微小反射鏡１３５と顕微鏡対物レンズ１１６とビームスプリッタ１３６と絞り１３７と光検出器１３８とから構成されている。
【００３２】
半導体レーザ源１３１からのレーザ光は、コリメータレンズ１３２によって平行なレーザ光束となり、反射鏡１３４を介して、顕微鏡コンテンツレンズ１１５とフローセル１００との間に配置された微小反射鏡１３５で反射されてフローセル１００中の粒子撮影領域１０１（図２）に照射される。
【００３３】
図２は図１におけるフローセル１００の部分の一具体例を示す構成図である。以下、図２を用いてフローセル１００の動作について説明する。
【００３４】
同図において、図示しない容器からサンプルノズル１６３で試料１７０を吸引し、予め染色液１７１が注入されている染色槽１６２にこの試料１７０を注入する。そして、一定時間が経過した後、ダイレクトサンプリング機構１６０のダイレクトサンプリングノズル１６１でこの染色槽１６２の染色液１７１と試料１７０とからなる染色試料１７２を吸引し、フローセル１００に注入する。そのとき、シース液容器１４２内のシース液１８０をシリンジ機構１４１で吸引し、フローセル１００での染色試料１７２が流れる通路を挟む２つの通路にこのシース液１８０を注入する。このため、フローセル１００に２つのシース液１８０の注入口が設けられており、シース液１８０が染色試料１７２を挟むように流れる。
【００３５】
また、フローセル１００においては、染色試料１７２とシース液１８０との流量比に応じて測定流路の染色試料１７２の厚さが調整される。例えば、染色試料１７２の流量が一定の場合に、シース液１８０の流量が少なくなると、幅は一定のままで超偏平試料流の厚さが増加し、シース液１８０の流量が多くなると、幅は一定のままで同じであれば、超偏平試料流の厚さが減少する。
【００３６】
尿中有形成分を分析対象とする場合、その成分の大きさは数μｍ〜２００μｍであることから、フローセル１００の幅としては、２００μｍ〜３５０μｍを必要とする。染色試料１７２は、厚さ寸法が数μｍ〜数１０μｍ程度の偏平流となる。粒子撮影領域１０１は、一辺が染色試料１７２の流れの幅とほぼ同じ長さを有する四角形状である。得られる撮影画像１９０は、幅と長さが夫々２５０〜３００μｍ程度の大きさとなる。
【００３７】
図１において、粒子検出部１３０は、粒子の有無を判断する粒子判断論理に従って、染色試料１７２での粒子を検出する。この粒子判断論理は複数用意されており、粒径が小さい粒子を検出する場合には、光検出器１３８からの検出信号が予め定めたＡレベルとなり、パルス幅が予め定めたＰＡとなったときに、粒子が検出されたと判断する判断論理（アルゴリズム）を使用する。
【００３８】
また、粒径が大きい粒子を検出する場合には、光検出器１３８からの検出信号が小さい粒子を検出するときのＡレベルと異なる予め定めたＢレベルとなり、パルス幅がＰＡと異なる予め定めたＰＢになったときに、粒子が検出されたと判断する。このようにして、粒子検出部１３０でフローセル１００内の粒子が検出されるものであり、画像撮影部１１０で撮影画像１９０（図２）を取得する。
【００３９】
粒子分析部１２０では、ＴＶカメラ１１７から出力される画像データが、画像処理制御回路１２２の制御のもとに、画像メモリ１２１の所定のアドレスに記憶される。画像メモリ１２１に記憶された画像データは、画像処理制御回路１２２の制御のもとに、読み出され、特徴抽出回路１２３を介して識別回路１２４に供給され、画像処理が行なわれてその結果が中央制御部１２６に供給される。供給される処理結果は、粒子分類結果と粒子分類に使われた粒子識別の特徴パラメータデータである。
【００４０】
粒子の分類識別論理は、通常行なわれているパターン認識処理により、自動的に行なわれる。この画像処理結果と測定条件と画像処理された画像情報とが、中央制御部１２６から粒子分析部１２７に送られる。粒子分析部１２７では、中央制御部１２６及び光検出器１３８からの粒子検出信号、さらには、画像処理制御回路１２２からの制御信号をもとに、検出粒子とその粒子分類結果との対応関係を調べ、最終的な粒子画像の分類識別結果のまとめを行なう。その結果は中央制御部１２６に返され、必要に応じて表示部１２９に出力表示される。
【００４１】
一方、粒子画像をレビューする場合には、まず、操作部１２８からオペレータがレビューしたい粒子の種類を指定すると、これが中央制御部１２６を経て識別回路１２４に伝えられ、識別回路１２４で分類識別した結果と設定したレビュー粒子の名称とが一致した場合だけ、該当する粒子画像が画像メモリ１２１からレビュー用粒子画像メモリ１２５に送られ、順次蓄積されていく。
【００４２】
レビュー用粒子画像メモリ１２５は、粒子画像に関しては、レビューすべき粒子画像専用のものであって、これに蓄積された粒子画像は、試料の測定終了後、レビュー用粒子画像メモリ１２５から中央制御部１２６を経て同一粒子種類毎に表示部１２９の表示画面に表示され、オペレータによる粒子画像のレビュー用に供せられる。
【００４３】
これらの測定結果をもとにして、サンプル中の粒子濃度の計算や視野換算粒子数の計算が行なわれ、その分析結果が中央制御部１２６に返される。
【００４４】
図３は図１におけるレビュー用粒子画像メモリ１２５と中央制御部１２６との内部機能の一具体例を示すブロック構成図である。
【００４５】
同図において、レビュー用粒子画像メモリ１２５は、全体画像メモリ１２５ａと切り取り画像メモリ１２５ｂとを備えている。また、中央制御部１２６は、操作部１２８からの操作指令に従って全体画像メモリ１２５ａや切り取り画像メモリ１２５ｂから画像を取り込んで修正処理する結果画像修正処理部１２６ａと、結果修正処理部１２６ａからの指令に従って演算処理する演算処理部１２６ｃと、演算処理部１２６ｃの処理結果（分析結果）を格納する分析結果メモリ１２６ｄと、表示部１２９やその他の部の動作を制御する動作制御部１２６ｂとを備えている。
【００４６】
図４はこの実施形態における粒子解析の全体処理の一具体例を示すフローチャートである。
【００４７】
同図において、まず、染色試料１７２のフローセル１００への注入を開始し、粒子の検出を開始する。粒子検出部１３０で粒子が検出されると（ステップＳ１）、ＴＶカメラ１１７で画像を撮影する（ステップＳ２）。画像処理制御回路１２２は、ＴＶカメラ１１７で撮影された撮影画像１９０を背景と成分に分離し、二値化する（ステッブＳ３）。次に、この２値化処理によって分離された成分を夫々毎に番号を付けて区分けし、成分のラべリングを行なう（ステップＳ４）。
【００４８】
そして、画像処理制御回路１２２は、成分毎に大きさや色情報，円形度などの特徴パラメータを算出する（ステップＳ５）。そのとき、小さな成分（３μｍ未満）は破棄され、残った成分の画像は、特徴パラメータからその成分をニューラルネットワークで識別する（ステップＳ６）。識別された画像は成分エリアのみが抽出され、レビュー用の画像（検査データ）として成分毎にまとめられ、レビュー用粒子画像メモリ１２５の切り取り画像メモリ１２５ｂ（図３）に格納される（ステップＳ７）。以上の測定処理の最後に、画像メモリ１２１（図１）に記憶されたＴＶカメラ１１７の撮影領域全体の画像を設定任意枚数取得し、レビュー用粒子画像メモリ１２５の全体画像メモリ１２５ａ（図３）に格納する（ステップＳ８）。
【００４９】
なお、図３において、中央制御部１２６では、図示しないが、切り取り画像メモリ１２５ｂに格納されるレビュー用の画像に対応する被験者などの検体の属性データが記憶保持されるメモリが設けられており、かかる属性データと切り取り画像メモリ１２５ｂに格納されているレビュー用の画像とが対応付けられている。操作部１２８の操作によって所望の属性データが指定されると、中央制御部１２６は、この指定された属性データと上記のメモリに格納されている属性データとを照合し、この指定された属性データに該当するレビュー用画像をレビュー用粒子画像メモリ１２５の切り取り画像メモリ１２５ｂから読み出して表示部１２９に供給する。これにより、指定された属性データに該当する全てのレビュー用画像が表示部１２９に表示可能となる。
【００５０】
ここで、属性データを、例えば、尿検査などの被検査者の検体番号，受付番号，氏名，年齢などとした場合、レビュー用画像には、その被検査者の検体番号などが割り当てられており、操作部１２８でレビューを希望する被検査者の、例えば、検体番号を指定すると、この被検査者のレビュー用画像がレビュー用粒子画像メモリ１２５の切り取り画像メモリ１２５ｂから読み出されて表示部１２９で表示可能となる。
【００５１】
次に、図１に示す粒子自動分析装置による本発明の粒子画像解析装置の画面表示方法の実施形態について説明する。この実施形態は、操作部１２８で指定した属性データ（ここでは、被検査者の属性データ、例えば、その氏名とする）に該当するレビュー用画像の画面（レビュー画面）を表示部１２９で表示し、このレビュー用画像でその成分（例えば、尿の成分）のチェックをすることができるようにするものである。
【００５２】
図５はレビュー用画像のチェックのための本発明による粒子自動分析装置の画面表示方法の一実施形態を示すフローチャートである。
【００５３】
図１において、操作部１２８の操作によって被検査者が指定されると、中央制御部１２６はレビュー用粒子画像メモリ１２５からこの指定された被検査者に該当するレビュー用画像を読み出し、レビュー用画面を作成して表示部１２９に供給する。それにより、このレビュー用画面が表示部１２９に表示される（図５のステップＳ１００）。
【００５４】
図６は最初の表示されるレビュー用画面の一具体例を示す図であって、１ａはこの最初のレビュー用画面、２は属性データ表示エリア、３はレビュー用エリア、４は検査分類項目表示エリア、５ａ〜５ｋは「検査分類項目」ボタン、６はチェックボタン、７はレビュー用画像表示エリア、８はレビューエリア、９はレビュー用画像、１０はツインビューボタンである。
【００５５】
同図において、表示部１２９の表示画面に表示されるこの最初のレビュー画面１ａでは、指定された被検査者の属性データ（検体（検査者番号）や受付番号，ラック番号，氏名，年齢，診療科など）が表示される属性データ表示エリア２、測定（検査）結果であるレビュー用画像を表示させるためのレビュー用エリア３、検査結果を選択するための検査分類項目表示エリア４などが設けられている。
【００５６】
ここでは、この被検査者に対する検査分類項目を「××球」，「×△球」，「○□球」，「△△球」，「○○球」，「○□球」，「□×球」，「××皮」，「□△菌」，「○球」，「×球」の１１項目としており、検査分類項目表示エリア４では、これら検査分類項目毎に、その検査分類項目を選択するための「検査分類項目」ボタン５ａ〜５ｋ（なお、これらを総称するときには、「検査分類項目」ボタン５という）が表示されている。これらの「検査分類項目」ボタン５ａ〜５ｋは、操作部１２８（図１）でのカーソル（図示せず）のクリック操作により、選択することができるし、また、表示画面にタッチパネルを設け、タッチ操作によって選択するようにすることもできる。以下では、タッチ操作がなされるものとして説明する。
【００５７】
この最初のレビュ画面１ａでは、「検査分類項目」ボタン５ａ〜５ｋの配列のうちの最初に配列されているボタン、ここでは、検査分類項目「××球」の「検査分類項目」ボタン５ａが選択されている状態にあり、これにより、この検査分類項目の「検査分類項目」ボタン５ａからタブ形式でレビュー用画像表示エリア７がレビュー用エリア３に展開され、このレビュー用画像表示エリア７に設けられたレビューエリア８にこの検査分類項目「××球」の検査結果のレビュー用画像９が表示されている。このレビュー用画像９から、検査分類項目「××球」の検査結果をチェックすることができる。
【００５８】
また、この選択されている「検査分類項目」ボタン５ａに該当する検査分類項目「××球」の検査結果がレビュー用画像９を用いてチェックされていないとき、即ち、チェック済みでないときには、この検査分類項目「××球」の「検査分類項目」ボタン５ａにチェックボタン６が表示され、かかるチェックが済んだときには、このチェックボタン６をタッチ操作することにより、この検査分類項目「××球」はチェック済みとなり、この結果がレビュー用粒子画像メモリ１２５（図１）に供給されて保存される。このチェック済みの結果のデータ（例えば、フラグ）がない検査分類項目は、まだ、チェックがなされていない未チェックの状態にある。
【００５９】
さらに、レビュー用画像表示エリア７の角部、ここでは、例えは、左上角部には、２つの検査分類項目の「検査分類項目」ボタン５に対する検査結果（レビュー用画像）を同時に表示させて、二画面表示をさせるためのツインビューボタン１０が設けられている。
【００６０】
図６に示すレビュー用画面１ａで、「検査分類項目」ボタン５のいずれか、例えば、次の検査分類項目「×△球」の「検査分類項目」ボタン５ｂがタッチ操作されると（図５のステップＳ１０１）、図７に示すように、この「検査分類項目」ボタン５ｂからタブ形式でレビュー用画像表示エリア７がレビュー用エリア３に展開され、このレビュー用画像表示エリア７に設けられたレビューエリア８にこの「検査分類項目」ボタン５ｂに該当する検査分類項目「×△球」の検査結果のレビュー用画像９が表示されている（図５のステップＳ１０２）。
【００６１】
なお、図７において、図６に対応する部分には同一符号をつけて重複する説明を省略する。
【００６２】
この場合、検査分類項目「××球」については、図６に示すレビュー用画面１ａでこの検査分類項目「××球」に該当する「検査分類項目」ボタン５ａのチェックボタン６がタッチされず、チェックがなされていないことから、図７に示すレビュー用画面１ｂでは、検査分類項目「××球」に対して、「検査分類項目」ボタン５ａが表示される。
【００６３】
この図７に示すレビュー用画面１ｂでは、選択された「検査分類項目」ボタン５ｂに該当する検査項目検査分類項目「×△球」も、チェックが済んでおらず、未チェック項目であることから、この「検査分類項目」ボタン５ｂにチェックボタン６が設けられており（図５のステップＳ１０３の“ＹＥＳ”）、次の操作があるまで、ステップ１０１の“ＮＯ”，ステップ１０４の“ＮＯ”，ステップＳ１１０の“ＮＯ”の一連の動作を繰り返して、レビュー用画面１ｂが表示され続ける。
【００６４】
図６に示すレビュー用画面１ａで、レビュー用画像９により、検査分類項目「××球」のチェックが終了し、これに該当する「検査分類項目」ボタン５ａのチェックボタン６がタッチ操作されると（図５のステップＳ１０４の“ＹＥＳ”）、図８に示すレビュー用画面１ｃが表示される。
【００６５】
なお、図８において、１１は背景表示であり、図６に対応する部分には同一符号をつけて重複する説明を省略する。
【００６６】
このレビュー用画面１ｃでは、チェック済みとなった検査分類項目「××球」は、ボタン表示がなされず、ボタン５を表わす枠がない表示（背景表示）１１に変わる（図５のステップＳ１０５）。検査分類項目をボタン表示するか、背景表示するかは、レビュー用粒子画像メモリ１２５（図１）でのチェック済みを示すデータの有無によって決定する。そして、次の検査分類項目である「検査分類項目」ボタン５ｂに該当する検査分類項目「×△球」が未チェックである場合には（図５のステップＳ１０６の“ＹＥＳ”）、この「検査分類項目」ボタン５ｂが選択され、この「検査分類項目」ボタン５ｂからタブ形式でレビュー画像表示エリア７が表示されて、そのビューエリア８に検査分類項目「×△球」のレビュー用画像９が表示される（図５のステップＳ１０７）。そして、次の操作がなされるまで、ステップ１０１の“ＮＯ”，ステップ１０４の“ＮＯ”，ステップＳ１１０の“ＮＯ”の一連の動作を繰り返して、レビュー用画面１ｃが表示され続ける。
【００６７】
即ち、図６に示すレビュー用画面１ａでチェックボタン６がタッチ操作されると、当該検査分類項目をチェック済みとして背景表示の状態にするとともに、次の検査分類項目のレビュー用画像を表示させる。チェックボタン６のタッチ操作という１つの操作で、チェック完了操作と次にレビューする検査分類項目のレビュー用表示の操作とを行なうことが可能であるため、画像レビューの効率を向上させることができる。また、チェックボタン６の操作により、検査分類項目のうち未チェックのものが次の検査分類項目としてそのレビュー用画像が表示されるため、オペレータが自ら未チェックの検査分類項目を探す必要がなく、この点でも、画像レビューの効率を向上させることができる。
【００６８】
ところで、図８に示すレビュー用画面１ｃにおいて、チェック済みで背景表示１１の検査分類項目「××球」をタッチ操作した場合も（図５のステップＳ１０１）、「検査分類項目」ボタン５ｂに対するタブ形式の表示に代わって、この検査分類項目「××球」からタブ形式でレビュー画像表示エリア７が表示されて、そのビューエリア８に検査分類項目「××球」のレビュー用画像９が表示される（図５のステップＳ１０２）。この場合、検査分類項目「××球」はチェック済みであるが（図５のステップＳ１０３の“ＮＯ”）、この検査分類項目「××球」の背景表示１１の部分を再度タッチ操作すると（図５のステップＳ１０８の“ＹＥＳ”）、チェック済みが解消されて未チェックとなり、この検査分類項目「××球」が、図６に示すように、「検査分類項目」ボタン５ａでボタン表示され、且つチェックボタン６も表示される（図５のステップＳ１０９）。これ以降は、次の操作があるまで、ステップ１０１の“ＮＯ”，ステップ１０４の“ＮＯ”，ステップＳ１１０の“ＮＯ”の一連の動作を繰り返して、図６に示すレビュー用画面１ａと同様のレビュー用画面の表示が継続する。
【００６９】
例えば、図６に示すレビュー用画面１ａにおいて、ツインビューボタン１０がタッチ操作されると（図５のステップＳ１１０の“ＹＥＳ”）、図９に示す二画面表示の処理が行なわれる。
【００７０】
図１０は二画面表示のレビュー用画面の一具体例を示す図であって、１ｄはレビュー用画面、９ａはレビュー用画像、１２は縮小レビューエリア、１３は参照エリア、１４ａ，１４ｂは折り目であり、前出図面に対応する部分には同一符号をつけて重複する説明を省略する。
【００７１】
図６に示すレビュー用画面１ａでツインビューボタン１０がタッチ操作されると、レビュー用画像表示エリア７において、レビューエリア８が縮小し、また、このレビュー用画面１ａで選択されている「検査分類項目」ボタン５ａの次の未チェックの検査分類項目「×△球」の「検査分類項目」ボタン５ｂも選択された状態となって、図１０に示す二画面表示のレビュー用画面１ｄとなる。
【００７２】
このレビュー用画面１ｄでは、この「検査分類項目」ボタン５ｂからタブ形式でレビュー用画像表示エリア７が展開されるようになるとともに、レビュー用画像表示エリア７上に、縮小レビューエリア１２と参照エリア１３とが表示される。この参照エリア１３は、レビューエリア８が縮小レビューエリア１２に縮小することによって生じたスペースに表示されるものであって、このレビュー用画像表示エリア７が縮小レビューエリア１２と参照エリア１３とで分割されることになり（図９のステップＳ２００）、この参照エリア１３に選択された次の「検査分類項目」ボタン５ｂの検査分類項目「×△球」のレビュー画像９ａが表示される（図９のステップＳ２０１）。これにより、レビュー用画面１ｄでは、２種類の検査分類項目に対するレビュー用画像９，９ａが同時に表示される二画面表示となる。
【００７３】
また、ここで、二画面表示となる前にレビュー用画像９が表示されていた検査分類項目（ここでは、検査分類項目「××球」）を主検査分類項目とし、二画面表示でレビュー用画像９ａが追加表示された検査分類項目（ここでは、検査分類項目「×△球」）を参照検査分類項目ということにすると、主検査分類項目に該当する「検査分類項目」ボタン５ａの角部、例えば、右上角部に折り目１４ａが付けられ、また、この主検査分類項目に該当するレビュー用画像９が表示される縮小レビューエリア１２の角部、例えば、左上角部に折り目１４ｂが付けられ、これら折り目１４ａ，１４ｂにより、主検査分類項目の「検査分類項目」ボタン５ａと縮小レビューエリア１２とが対応付けられる。従って、かかる折り目が付けられていない参照検査分類項目の「検査分類項目」ボタン５ｂと参照エリア１３も対応することになり、これにより、主検査分類項目のレビュー用画像９と参照検査分類項目のレビュー用画像９ａとを明確に認識することができる。
【００７４】
ここで、このレビュー用画面１ｄにおいて、他の「検査分類項目」ボタン５、例えば、「検査分類項目」ボタン５ｅがタッチ操作されると（図９のステップＳ２０２の“ＹＥＳ”）、この「検査分類項目」ボタン５ｅに対する検査分類項目「○○球」が参照検査分類項目となり、図１１に示すように、この新たな参照検査分類項目の「検査分類項目」ボタン５ｅからタブ形式でレビュー用画像表示エリア７が展開され、レビュー用画像表示エリア７内に縮小レビューエリア１２とこの「検査分類項目」ボタン５ｅに対する参照エリア１３が設定されたレビュー用画面１ｅとなる（図９のステップＳ２０３）。
【００７５】
なお、図１１において、図１０に対応する部分には同一符号をつけて重複する説明を省略する。
【００７６】
また、上記では、「検査分類項目」ボタン５をタッチ操作することにより、選択する参照検査分類項目を変更するものであったが、主検査分類項目の「検査分類項目」ボタン５のチェックボタン６を除いた部分をタッチ操作することにより、そのタッチ操作毎に選択する参照検査分類項目を順次変更させることもできる。
【００７７】
図１２は背景表示された検査分類項目が存在する場合のレビュー用画面１ｆの一具体例を示すものであって、１ｆはレビュー用画面、１１ｂ〜１１ｄ，１１ｆ〜１１ｈ，１１ｊは背景表示の検査分類項目であり、前出図面に対応する部分には同一符号をつけて重複する説明を省略する。
【００７８】
同図において、ここでは、検査分類項目「××球」，「○○球」，「□△菌」，「×球」については、未チェックであって、夫々に「検査分類項目」ボタン５ａ，５ｅ，５ｉ，５ｋが表示されているが、検査分類項目「×△球」，「○□球」，「△△球」，「○□球」，「□×球」，「××皮」，「○球」については、既にチェック済みであって、夫々背景表示１１ｂ〜１１ｄ，１１ｆ〜１１ｈ，１１ｊでこれら検査分類項目が表示されているものとする。以下では、これら検査分類項目を背景表示の検査分類項目「×△球」１１ｂ，「○□球」１１ｃ，「△△球」１１ｄ，「○□球」１１ｆ，「□×球」１１ｇ，「××皮」１１ｈ，「○球」１１ｊということにする。
【００７９】
そして、現在では、検査分類項目「××球」が主検査分類項目として、「検査分類項目」ボタン５ａが選択され、そのレビュー用画像９が縮小レビューエリア１２に表示され、また、検査分類項目「○○球」が参照検査分類項目として、「検査分類項目」ボタン５ｅが選択され、そのレビュー用画像９ａが参照エリア１３に表示されているものとする。
【００８０】
かかる状態で、検査分類項目「□△菌」の「検査分類項目」ボタン５ｉをタッチ操作しても、この検査分類項目「□△菌」を参照検査分類項目として選択することができるが、主検査分類項目「××球」のこの「検査分類項目」ボタン５ａをタッチ操作することにより、現在選択されている「検査分類項目」ボタン５ｅの次の「検査分類項目」ボタン５ｉが選択され、この「検査分類項目」ボタン５ａをタッチ操作する毎に選択する「検査分類項目」ボタン５が更新される（図９のステップＳ２０３）。
【００８１】
これにより、次にどの「検査分類項目」ボタン５が未チェックで選択可能であるかを確認することなく、主検査分類項目の「検査分類項目」ボタン５のチェックボタン６をタッチ操作するという簡単な操作でもって、参照エリア１３でレビュー用画像９ａを表示する参照検査分類項目を変更させることができる。
【００８２】
二画面表示の図１０〜図１２などに示すレビュー用画面において、主検査分類項目「××球」の「検査分類項目」ボタン５ａのチェックボタン６がタッチ操作されると（図９のステップＳ２０４）、この主検査分類項目「××球」の縮小レビューエリア１２に表示されているレビュー用画像９がチェックされたものとして、検査分類項目「××球」がチェック済み状態となり（図９のステップＳ２０５）、二画面表示が解除されて（図９のステップＳ２０６）、これまで選択されていた参照検査分類項目が主検査分類項目となり、そのレビュー用画像９ａが、この主検査分類項目となった「検査分類項目」ボタン５からタブ形式で展開されるレビュー用画像表示エリア７でのレビューエリア８に表示されるようになり（図９のステップＳ２０７）、図５のステップＳ１０１に進む。例えば、図１０に示す二画面表示のレビュー用画面１ｄで「検査分類項目」ボタン５ａのチェックボタン６がタッチ操作されると、図８に示すレビュー用画面１ｃの表示に変更される。
【００８３】
また、二画面表示の図１０〜図１２などに示すレビュー用画面において、折れ目１４ｂが操作されると（図９のステップＳ２０８）、二画面表示が解除されて（図９のステップＳ２０９）、これまで選択されていた参照検査分類項目が選択されない状態となって、主検査分類項目のレビュー用画像のみが「検査分類項目」ボタン５からタブ形式で展開されるレビュー用画像表示エリア７でのレビューエリア８に表示されるようになり（図９のステップＳ２１０）、図５のステップＳ１０１に進む。例えば、図１０に示す二画面表示のレビュー用画面１ｄでツインビューボタン１０がタッチ操作されると、図６に示すレビュー用画面１ａの表示に変更される。
【００８４】
なお、図９には、動作説明していないが、二画面表示のレビュー用画面において、縮小レビューエリア１２と参照エリア１３との間でレビュー用画像を移動させることもできる。
【００８５】
例えば、図１２に示すレビュー用画面１ｆにおいて、チェック済みの検査分類項目、例えば、背景表示の検査分類項目「×△球」１１ｂをタッチ操作すると、図１３に示すように、この検査分類項目「×△球」が参照検査分類項目として選択されたレビュー用画面１ｇの二画面表示状態となるが（なお、図１３において、前出図面に対応する部分には同一符号を付けている）、このとき、この参照検査分類項目「×△球」１１ｂに対しては、仮の「検査分類項目」ボタン５ｂが表示され、この「検査分類項目」ボタン５ｂからタブ形式でレビュー用画像表示エリア７が展開され、これに主検査分類項目「××球」のレビュー用画像９が表示される縮小ビューエリア１２と参照検査分類項目「×△球」のレビュー用画像９ａが表示される参照エリア１３とが表示される。
【００８６】
かかるレビュー用画面１ｇにおいて、縮小レビューエリア１２でのレビュー用画像９のうちの１つのレビュー用画像Ａをタッチ操作し、次いで、参照エリア１３をタッチすると、このレビュー用画像Ａは参照エリア１３に移動し、参照エリア１３でのレビュー用画像９ａとして配列表示される。
【００８７】
そして、主検査分類項目「××球」の「検査分類項目」ボタン５ａでのチェックボタン６がタッチされると、この主検査分類項目「××球」がチェックされたことになり、図９でのステップＳ２０４〜Ｓ２０７の処理動作が行なわれる。これにより、参照検査分類項目「×△球」が主検査分類項目となり、そのレビュー用画像９ａが、この主検査分類項目となった「検査分類項目」ボタン５ｂからタブ形式で展開されるレビュー用画像表示エリア７でのレビューエリア８に表示される図１４に示すレビュー用画面１ｈとなる。
【００８８】
なお、図１４において、前出図面に対応する部分には同一符号をつけて重複する説明を省略する。
【００８９】
同図において、このレビュー用画面１ｈでは、検査分類項目「×△球」の「検査分類項目」ボタン５ｂが選択された状態にあって、レビューエリア８には、この検査分類項目「×△球」にもともとあったレビュー用画像９ａに加え、上記のようにして、検査分類項目「××球」から移動してきたレビュー用画像Ａも表示される。
【００９０】
また、このように、他の検査分類項目からのレビュー用画像が追加された場合には、既にチェック済み状態にあったこの検査分類項目「×△球」は未チェック状態に戻り、これにより、「検査分類項目」ボタン５ｂにチェックボタン６が再表示されることになる。従って、レビューエリア８でのレビュー用画像をチェックしてこのチェックボタン６をタッチ操作すると、検査分類項目「×△球」がチェック済み状態となり、検査分類項目「×△球」が再び背景表示されることになる。
【００９１】
なお、以上は、縮小レビューエリア１２から参照エリア１３にレビュー用画像を移動させるものであるが、同様にして、参照エリア１３から縮小レビューエリア１２にレビュー用画像を移動させることもできる。この場合には、図１４に示すように、これまで参照検査分類項目であった検査分類項目「×△球」のみが選択されたレビュー用画面では、この検査分類項目「×△球」はチェック済み状態にあり、これが選択されなくなると、背景表示されることになる。
【００９２】
以上のようにして、レビュー用画面で各検査分類項目でのチェックが行なわれ（図５のステップＳ１０４〜Ｓ１０７）、全ての検査分類項目のチェックが終了すると（図５のステップＳ１０６の“ＮＯ”）、レビュー終了画面が表示される（図５のステップＳ１１１）。
【００９３】
図１５はかかるレビュー終了画面の一具体例を示す図であって、１５はこのレビュー終了画面、１６は終了案内エリア、１７は「結果転送」選択部、１８は「自動で次検体を表示」選択部、１９は操作ボタンであり、前出図面に対応する部分には同一符号をつけて重複する説明を省略する。
【００９４】
同図において、レビュー終了画面１５では、属性データ表示エリア２と検査分類項目表示エリア４と、さらに、上記のレビュー用エリア３に代わって終了案内エリア１６とが夫々設けられている。そして、この属性データ表示エリア２では、全ての検査分類項目が、チェック済みとして、背景表示の検査分類項目１１ａ〜１１ｋとして表示される。
【００９５】
終了案内エリア１６では、属性データ表示エリア２で表示されている被検査者の全ての検査分類項目について、チェックが終了した旨のメッセージとともに、次の動作を行なわせるための操作ボタン１９と、２つの選択部、即ち、「結果転送」選択部１７と「自動で次検体を表示」選択部１８とが表示されている。「結果転送」選択部１７が選択操作されると、これにチェック「レ」が付されて選択されていることが明示され、「自動で次検体を表示」選択部１８が選択操作されると、これにチェック「レ」が付されて選択されていることが明示される。
【００９６】
いま、「結果転送」選択部１７が選択されているものとすると、操作ボタン１９はこの「結果転送」選択部１７による「結果転送」機能を有しており、従って、この場合の操作ボタン１９がタッチ操作されると、これまでのレビュー用画面を用いた処理の結果が、例えば、ホストコンピュータ１５２（図１）などの他の装置に転送される。また、「自動で次検体を表示」選択部１８が選択されているものとすると、操作ボタン１９はこの「自動で次検体を表示」選択部１８による「自動で次検体を表示」機能を有しており、従って、この場合の操作ボタン１９がタッチ操作されると、次の被検査者に対し、図６に示すようなレビュー用画面１ａが表示され、図５に示す処理動作によって検査分類項目のチェックを行なうことができる。
【００９７】
以上のようにして、レビュー用粒子画像メモリ１２５に格納されている被検査者の検査分類項目の検査結果をレビュー用画像（成分）で、検査分類項目毎にチェックすることができし、また、他の検査分類項目のレビュー用画像と対比してチェックすることができる。そして、表示画面には、検査分類項目表示エリア４で被検査者の検査分類項目が全て表示されるものであるから、この被検査者の検査分類項目を確認することができるし、また、表示されるレビュー用画像は選択された検査分類項目からタブ形式で展開されたレビュー用画像表示エリア７上で表示されるから、表示されているレビュー用画像がどの検査分類項目であるかを容易に確認することができるし、また、二画面表示の場合には、さらに、折り目１４ａ，１４ｂを用いるものであるから、主検査分類項目と参照検査分類項目毎にレビュー用画像を容易に判別することができる。
【００９８】
図１６はレビュー用画面の他の具体例を示す図であって、２０ａはレビュー用画面、２１は実線マーク、２２は破線マーク、２３は実線マーク、２４はツインビューボタンであり、前出画面に対応する部分には同一符号をつけて重複する説明を省略する。
【００９９】
同図において、このレビュー用画面２０ａでは、検査分類項目表示エリア４が検査分類項目毎に区分され、未チェックの検査分類項目の区分には、その左辺に沿って縦方向のマークが設けられている。チェック済みの検査分類項目には、かかるマークは付されていない。そして、レビュー用画像９が表示されるように選択された未チェックの検査分類項目に付されるマークは縦方向の実線マーク２１であり、選択されない未チェックの検査分類項目に付されるマークは縦方向の破線マーク２２である。
【０１００】
このようにして、縦方向のマークの有無によって検査分類項目が未チェックであるか、チェック済みであるかを区別し、また、縦方向のクークが実線マーク２１であるか、破線マーク２２であるかに応じて、未チェックの検査分類項目が、レビュー用画像の表示のために選択されたものであるか、否かを区別している。
【０１０１】
なお、チェック済みの検査分類項目では、いずれのマークも表示されておらず、かかる状態も背景表示の状態という。
【０１０２】
また、選択された未チェックの検査分類項目（ここでは、検査分類項目「××球」）に対し、先の具体例と同様、レビューエリア８が表示され、このレビューエリア８内にこの選択された検査分類項目のレビュー用画像９が表示されるが、このレビューエリア８の左辺にも、この左辺の上から下まで縦方向の実線マーク２３が表示される。
【０１０３】
このようにして、選択された検査分類項目の区分での実線マーク２１の位置関係とレビューエリア８での実線マーク２３の位置関係とは、左辺側というように、同じ位置関係であり、これにより、レビューエリア８と選択された検査分類項目との対応関係が明確となって、レビューエリア８に表示されるレビュー用画像９がどの検査分類項目のものであるかを容易に認識可能となる。
【０１０４】
ここで、このレビュー用画面２０ａにおいて、レビューエリア８の上辺の上側中央部に、例えば、矢印で示すツインビューボタン２４が表示されており、これをタッチ操作することにより、二画面表示のレビュー用画面が表示される。
【０１０５】
図１７はかかるに画面表示のレビュー用画面の一具体例を示す図であって、２０ｂはレビュー用画面、２５，２６は破線マークであり、前出図面に対応する部分には同一符号をつけて重複する説明を省略する。
【０１０６】
同図において、このレビュー用画面２０ｂでは、図１６に示すレビュー用画面２０ａでツインビューボタン２４が操作されたことにより、縮小されたレビューエリア１２と参照エリア１３とが上下の位置関係で表示される。図１６に示すレビュー用画面２０ａでツインビューボタン２４が操作されたときには、選択されている未チェックの検査分類項目「××球」が主検査分類項目となり、この検査分類項目「××球」の次の未チェックの検査分類項目（ここでは、検査分類項目「×△球」）が参照検査分類項目となる。
【０１０７】
そして、レビュー用画面２０ｂでは、先の具体例と同様、主検査分類項目「××球」のレビュー用画像９が縮小レビューエリア１２に表示され、参照検査分類項目「×△球」のレビュー用画像９ａが参照エリア１３に表示されるのであるが、この検査分類項目「×△球」が参照検査分類項目として選択されるとともに、その区分の右辺にも、これに沿って縦方向の破線マーク２５が表示され、さらに、参照エリア１３の右辺にも、その上から下まで縦方向の破線マーク２６が表示される。これにより、破線マーク２５と破線マーク２６とにより、参照エリア１３と参照検査分類項目として選択された検査分類項目「×△球」とが対応していることが明確となる。
【０１０８】
また、レビューエリア１２では、その左辺に実線マーク２３が表示されている。これにより、レビューエリア１２に表示されているレビュー用画像９と主検査分類項目として選択されている検査分類項目「××球」との対応も明確である。
【０１０９】
選択された未チェックの検査分類項目にチェックマーク６が表示されることや、このチェックマーク６が操作されると、その検査分類項目は背景表示されるなど、以上の点以外の点については、先の具体例と同様であり、以上のようにして、この具体例も、先の具体例と同様の効果が得られることになる。
【図面の簡単な説明】
【０１１０】
【図１】図１は本発明による粒子自動分析装置の一実施形態を示す全体概略横成図である。
【図２】図２は図１におけるフローセルの部分の一具体例を示す構成図である。
【図３】図３は図１におけるレビュー用粒子画像メモリ１２５と中央制御部１２６との内部機能の一具体例を示すブロック構成図である。
【図４】図１に示す実施形態における粒子解析の全体処理の一具体例を示すフローチャートである。
【図５】図１に示す実施形態でのレビュー用画像のチェックのための本発明による粒子自動分析装置の画面表示方法の一実施形態を示すフローチャートである。
【図６】図５に示す処理で最初に表示されるレビュー用画面の一具体例を示す図である。
【図７】図６に示すレビュー用画面で他の「検査分類項目」ボタンが操作されたことによって表示されるレビュー用画面の一具体例を示す図である。
【図８】図６に示すレビュー用画面で選択されている「検査分類項目」ボタンでのチェックボタンが操作されたことによって表示されるレビュー用画面の一具体例を示す図である。
【図９】図５でツインビューボタンがタッチ操作されて行なわれる二画面表示の処理を示すフローチャートである。
【図１０】図９に示す処理で表示される二画面表示のレビュー用画面の一具体例を示す図である。
【図１１】図１０に示すレビュー用画面で他の「検査項目」ボタンが操作されたときに表示されるレビュー用画面を示す図である。
【図１２】背景表示された検査分類項目が存在する場合のレビュー用画面の一具体例を示す図である。
【図１３】図１２に示すレビュー用画面で背景表示の検査分類項目が選択されたときの二画面表示のレビュー用画面を示す図である。
【図１４】図１３に示す２画面表示のレビュー用画面で縮小レビューエリアから参照エリアにレビュー画像を移動させることによって表示されるレビュー用画面を示す図である。
【図１５】図５の処理の終了によって表示されるレビュー終了画面の一具体例を示す図である。
【図１６】レビュー用画面の他の具体例を示す図である。
【図１７】図１６に示すレビュー用画面でツインビューボタンを操作して表示される二画面表示のレビュー用画面を示す図である。
【符号の説明】
【０１１１】
１ａ  最初のレビュー用画面
２  属性データ表示エリア
３  レビュー用エリア
４  検査結果表示エリア
５ａ〜５ｋ  「検査分類項目」ボタン
６  チェックボタン
７  レビュー用画像表示エリア
８  レビューエリア
９，９ａ  レビュー用画像
１０  ツインビューボタン
１１  背景表示
１１ｂ〜１１ｄ，１１ｆ〜１１ｈ，１１ｊ  背景表示の検査分類項目
１２  縮小レビューエリア
１３  参照エリア
１４ａ，１４ｂ  折り目
１５  このレビュー終了画面
１６  終了案内エリア
１７  「結果転送」選択部
１８  「自動で次検体を表示」選択部
１９  操作ボタン
２０ａ，２０ｂ  レビュー用画面
２１  実線マーク
２２  破線マーク
２３  実線マーク
２４  ツインビューボタン
２０ｂ  レビュー用画面
２５，２６  破線マーク
【図１】
2010085197.tif 000003
【図２】
2010085197.tif 000004
【図３】
2010085197.tif 000005
【図４】
2010085197.tif 000006
【図５】
2010085197.tif 000007
【図６】
2010085197.tif 000008
【図７】
2010085197.tif 000009
【図８】
2010085197.tif 000010
【図９】
2010085197.tif 000011
【図１０】
2010085197.tif 000012
【図１１】
2010085197.tif 000013
【図１２】
2010085197.tif 000014
【図１３】
2010085197.tif 000015
【図１４】
2010085197.tif 000016
【図１５】
2010085197.tif 000017
【図１６】
2010085197.tif 000018
【図１７】
2010085197.tif 000019